(57)【要約】【課題】  内扉の側端部と本体前面開口の内側壁部との間に、内扉と外扉とを係止するための部材を配設することなく、外扉と内扉との完全ロック位置より前での両者の連結を可能にした自動販売機を提供すること。【解決手段】  外扉２と内扉３とが接近する動作にともなう開口部４７の下縁部と第１傾斜部２６との当接により係止部材１１が上方に移動し、開口部４７の下縁部と第１傾斜部２６との当接が外れると係止部材１１が下方に下がって開口部４７の下縁部に第１フック部２８が係合し、さらなる外扉２と内扉３とが接近する動作にともない、開口部４７の下縁部と第２傾斜部２７とが当接して係止部材１１が上方に移動し、開口部４７の下縁部と第２傾斜部２７との当接が外れると係止部材１１が下方に下がって開口部４７の下縁部に第２フック部２９が係合する。【選択図】        図８
2006172345.tif 000002
【特許請求の範囲】
【請求項１】
商品収納庫が内部に設けられ、前面に前記商品収納庫が臨む開口が形成された本体と、
前記本体の側縁部に第１のヒンジを介して回動自在に取り付けられ、前記前面を開閉する外扉と、
前記外扉の背面における前記第１のヒンジと同じ側の側縁部に第２のヒンジを介して回動自在に取り付けられた内扉と、
前記外扉の前記背面における前記第２のヒンジの反対側の側縁部と、この側縁部と向き合わされる前記内扉の前面の側縁部の何れか一方に上下方向に移動自在に設けられて他方に向けて突出する突出部を有する係止部材と、
前記他方に設けられ前記係止部材が係合可能な開口部と、を備えた自動販売機であって、
前記係止部材の前記突出部には、その先端側から順に、第１傾斜部と、第１フック部と、第２傾斜部と、第２フック部が形成され、
前記外扉と前記内扉とが接近する動作にともなう前記開口部の下縁部と前記第１傾斜部との当接により前記係止部材が上方に移動し、前記下縁部と前記第１傾斜部との当接が外れると前記係止部材が下方に下がって前記下縁部に前記第１フック部が係合し、さらなる前記外扉と前記内扉とが接近する動作にともない、前記下縁部と前記第２傾斜部とが当接して前記係止部材が上方に移動し、前記下縁部と前記第２傾斜部との当接が外れると前記係止部材が下方に下がって前記下縁部に前記第２フック部が係合することを特徴とする自動販売機。
【請求項２】
前記内扉は断熱性を有する請求項１に記載の自動販売機。
【請求項３】
前記外扉の前記背面における前記第２のヒンジの反対側の側縁部と、この側縁部と向き合わされる前記内扉の前面の側縁部の何れか一方に、他方に向けて突出する位置決め用突出部が設けられ、他方に位置決め用開口部が設けられ、前記位置決め用突出部と前記位置決め用開口部とが当接することで、前記外扉と前記内扉との相対位置を、前記開口部の前記下縁部と前記係止部材の前記第１傾斜部とが当接できる位置に位置決めすることを特徴とする請求項１または請求項２に記載の自動販売機。
【発明の詳細な説明】
【技術分野】
【０００１】
本発明は、外扉の背面側に内扉を備えた自動販売機に関し、詳しくは、外扉と内扉とが完全に係止される位置よりも前の位置で両者を連結できるようにした自動販売機に関する。
【背景技術】
【０００２】
図１４は、従来例の自動販売機の横断面図である。本体５１は前面が開口した箱状の断熱筐体として形成され、本体５１の内部には、缶飲料等の商品を所望の温度に維持した状態で収納する商品収納庫５４が設けられている。
【０００３】
本体５１の左側縁部にはヒンジＨ１を介して外扉５２が回動自在に取り付けられている。外扉５２は本体５１の前面開口を開閉する。外扉５２の背面側にはヒンジＨ２を介して回動自在に内扉５３が取り付けられている。内扉５３は断熱扉であり、外扉５２が本体５１に対して閉状態になった場合に、内扉５３は本体５１の前面開口を閉塞し商品収納庫５４を外気から遮断して商品収納庫５４内の冷気または暖気の流出を阻止する。
【０００４】
内扉５３においてヒンジＨ２の反対側の側縁部に設けられた係止片５５と、外扉５２においてヒンジＨ１の反対側の側縁部に設けられた係止部材５６とを係合させることにより、外扉５２と内扉５３とが互いに係合される。
【０００５】
このような自動販売機では、内扉５３と外扉５２との係合が不完全で両者が連結されないまま外扉５２を本体５１に対して開いてしまうと次のような問題があった。例えば、外扉５２を完全に閉めきる前に再び外扉５２を開ける場合には、係止片５５と係止部材５６との係合が不完全で外扉５２と内扉５３とが連結されていない場合があり、この状態で外扉５２を開けていくと、内扉５３の外扉５２に対するヒンジＨ２は、外扉５２の本体５１に対するヒンジＨ１よりも内方にあるため、内扉５３の回転軌道は外扉５２の回転軌道よりも外側に膨らむようになり、内扉５３の側端部５３ａが図１４（Ｂ）に示すように本体５１の前面開口の内側壁部５１ａにぶつかってしまう。このような状態では、外扉５２を開動作させることが困難になり、また無理に外扉５２を開こうとするとヒンジＨ２を破損させるおそれがある。
【０００６】
そこで、特許文献１では、図１５に示すように、内扉６３の側端部６３ａに、ねじ６７を支点に横方向に揺動する係止部材６４を設け、外扉６２の背面側には係止部材６４のフック部６４ａが係合可能な２つの開口部６６ａ、６６ｂを設けている。
【特許文献１】特公平８−７８２３号公報
【０００７】
外扉６２と内扉６３とが接近すると、フック部６４ａが開口部６６ａの後方側に設けられた案内面６５ａに当接して案内され、バネ部材６８の付勢力に抗して図において右方に係止部材６４が揺動し、フック部６４ａが開口部６６ａに到達するとバネ部材６８の付勢力によってフック部６４ａは開口部６６ａに係合する。さらに外扉６２と内扉６３とが接近すると、フック部６４ａが開口部６６ｂの後方側に設けられた案内面６５ｂに当接して開口部６６ａから離脱案内されるとともに開口部６６ｂに到達するとフック部６４ａは開口部６６ｂに係合する。フック部６４ａが開口部６６ｂに係合する状態が外扉６２と内扉６３との完全なロック状態である。
【０００８】
以上のように構成される特許文献１において、外扉６２を内扉６３に対して完全に閉めなくても、その完全に閉状態となる前にフック部６４ａが開口部６６ａに係合することで外扉６２と内扉６３とを連結することができる。したがって、外扉６２を内扉６３に対して閉めきる前に外扉６２を開いても上記フック部６４ａと開口部６６ａとの係合により内扉６３は外扉６２に引っ張られるようにして外扉６２と共に開くことができ、図１４（Ｂ）に示すような内扉が本体の前面開口の内側壁部に引っかかってしまうことを防げる。
【発明の開示】
【発明が解決しようとする課題】
【０００９】
しかし、特許文献１では、係止部材６４は内扉６３の側端部６３ａにねじ６７で取り付けられ、そのねじ６７を支点に横方向に揺動する構成であり、さらに係止部材６４を開口部６６ａ、６６ｂとの係合位置に付勢してその係合状態を保持するためにバネ部材６８を内扉６３の側端部６３ａに設けているため、内扉６３の側端部６３ａとこの側端部６３ａが向き合う本体６１の前面開口の内側壁部６１ａとの間のスペースが狭くなる。
【００１０】
図１４Ｂに示されるような内扉５３の側端部５３ａが本体５１の前面開口の内側壁部５１ａに干渉したということは外扉５２がある程度開かれて目視で確認することでわかり、それを見て外扉５２を開けようとしていた人は外扉５２の開動作を止めることができる。ここで、上記特許文献１のように内扉側端部６３ａと本体前面開口の内側壁部６１ａとの間に係止部材６４とバネ部材６８とが配設され、これらと本体内側壁部６１ａとの間にあまりスペースがないと、外扉６２の開きが小さく外扉６２が係止部材６４を介して内扉６３を引っ張る前に、バネ部材６８、係止部材６４、内扉側端部６３ａ等が本体内側壁部６１ａに干渉してしまうことになる。さらにこのとき、外扉６２はまだあまり開いていないのでその干渉の様子は外扉６２を開けようとしている人には見えず、すなわち上記干渉に気づかないことになり、そのまま外扉６２を無理に開けてしまって外扉６２と内扉６３との間のヒンジを破損させてしまう危険性が高い。またそれを回避するために、内扉側端部６３ａと本体内側壁部６１ａとの間のスペースを広く確保すると、自動販売機の幅寸法の増大をまねく。
【００１１】
本発明は上述の問題に鑑みてなされ、その目的とするところは、内扉の側端部と本体前面開口の内側壁部との間に、内扉と外扉とを係止するための部材を配設することなく、外扉と内扉との完全ロック位置より前での両者の連結を可能にした自動販売機を提供することにある。
【課題を解決するための手段】
【００１２】
本発明の自動販売機は、前面に商品収納庫が臨む開口が形成された本体と、本体の側縁部に第１のヒンジを介して回動自在に取り付けられ前面を開閉する外扉と、外扉の背面における第１のヒンジと同じ側の側縁部に第２のヒンジを介して回動自在に取り付けられた内扉と、外扉の背面における第２のヒンジの反対側の側縁部と、この側縁部と向き合わされる内扉の前面の側縁部の何れか一方に上下方向に移動自在に設けられて他方に向けて突出する突出部を有する係止部材と、他方に設けられ係止部材が係合可能な開口部と、を備え、
係止部材の突出部には、その先端側から順に、第１傾斜部と、第１フック部と、第２傾斜部と、第２フック部が形成され、外扉と内扉とが接近する動作にともなう開口部の下縁部と第１傾斜部との当接により係止部材が上方に移動し、下縁部と第１傾斜部との当接が外れると係止部材が下方に下がって下縁部に第１フック部が係合し、さらなる外扉と内扉とが接近する動作にともない、下縁部と第２傾斜部とが当接して係止部材が上方に移動し、下縁部と第２傾斜部との当接が外れると係止部材が下方に下がって下縁部に第２フック部が係合することを特徴としている。
【００１３】
上記係止部材の第２フック部が上記開口部に係合した状態が外扉と内扉とが完全に係止されたいわゆるロック状態であり、本発明では、内扉に対して外扉を閉じていった際に、そのロック状態に至るより前に、先に上記第１傾斜部に案内されて第１フック部が上記開口部に係合する状態をとり外扉と内扉とが連結される。したがって、外扉を内扉に対して完全に閉めきらずに両者が完全にロックされなくても、上記第１フック部が上記開口部に係合する位置まで両者が近づけば両者は連結されて、ロック不完全な状態で外扉を開けてもこの外扉に引っ張られるようにして内扉も外扉と共に開かれる。この結果、内扉の側端部が本体の前面開口の内側壁部に近づくように移動してぶつかってしまうことを防げる。
【００１４】
そして、本発明では、上記係止部材は、特許文献１の横方向の揺動とは異なり、上下方向（高さ方向）に移動して係合位置と係合解除位置とをとるようにしているので、係止部材を内扉側端部から本体前面開口の内側壁部側にはみ出して設ける必要がない。さらに、第１フック部、第２フック部が開口部と係合した状態は、係止部材が自重で下方に下がることにより保持されるので、内扉側端部と本体前面開口の内側壁部との間に特許文献１のようなバネ部材を設ける必要もない。したがって、内扉側端部と本体前面開口の内側壁部との間のスペースが狭まることがなく、外扉が内扉を引っ張る前に内扉側端部が本体前面開口の内側壁部に干渉してしまうことがない。
【００１５】
また、外扉の背面における第２のヒンジの反対側の側縁部と、この側縁部と向き合わされる内扉の前面の側縁部の何れか一方に、他方に向けて突出する位置決め用突出部を設け、他方に位置決め用開口部を設ければ、これら位置決め用突出部と位置決め用開口部とが当接することで、外扉と内扉との相対位置を、開口部の下縁部と係止部材の第１傾斜部とが当接できる位置に位置決めすることができ、第１傾斜部の案内により開口部の下縁部を確実に第１フック部との係合位置まで導くことができる。
【発明の効果】
【００１６】
本発明の自動販売機によれば、内扉と外扉とが完全にロックされていない状態から外扉の開動作を行った場合に、内扉側端部が本体前面開口の内側壁部に干渉する前に確実に外扉が内扉を引っ張って内扉を外扉と共に本体から開くことができる。これにより、内扉や、内扉と外扉との間に介在されるヒンジの破損を防げる。
【発明を実施するための最良の形態】
【００１７】
以下、本発明を適用した具体的な実施形態について、図面を参照しながら詳細に説明する。なお、本発明は以下の実施形態に限定されるものではなく、本発明の技術的思想に基づいて種々の変形が可能である。
【００１８】
図１は本発明の実施形態に係る自動販売機を示す。図１に示す状態は、本体１に対して外扉２及び内扉３、４が開かれた状態を示す。
【００１９】
本体１は前面が開口された箱状を呈し、その内部に商品収納庫５が形成されている。商品収納庫５には、高さ方向に延在する商品コラム６が本体１の幅方向に複数並んで設けられている。各商品コラム６の上部には、本体１の前面開口に臨む商品投入口７が形成され、商品投入口７から投入された缶飲料等の商品は各商品コラム６の高さ方向に積み重ねられて収納される。
【００２０】
商品コラム６から払い出された商品は、その下方に設けられたシュート８及び内扉４の下部に形成された開口９を通って、外扉２の下部に設けられた商品取出部１０に搬出される。
【００２１】
外扉２は、本体１前面の側縁部（図１において左側縁部）に、第１のヒンジｈ１（図１３参照）を介して取り付けられ、このヒンジｈ１を中心に回動することで本体１の前面開口を開閉する。
【００２２】
外扉２の背面側には、断熱材を内装した内扉３、４が設けられている。外扉２が本体１に対して閉じられた状態で、内扉３、４は本体１の前面開口を閉塞して商品収納庫５を外気から遮断し、商品収納庫５からの冷気あるいは暖気の流出を阻止する。
【００２３】
内扉３、４のうち、下側の内扉４は本体１において上記第１のヒンジｈ１が取り付けられた側縁部と同じ側縁部に取り付けられたヒンジを介して本体１に対して回動自在に取り付けられている。これに対して、上側の内扉３は、本体１ではなく、外扉２の背面に取り付けられている。具体的には、図１３に示すように、上記第１のヒンジｈ１のすぐ内方側に位置する第２のヒンジｈ２を介して外扉２の背面に回動自在に取り付けられている。内扉３は商品収納庫５の上部に位置する商品投入口７を開閉する。
【００２４】
外扉２が本体１に対して閉じられた状態では内扉３は第２のヒンジｈ２とは反対側の側縁部で外扉２に対して係止されている。すなわち、外扉２の開動作に連動して内扉３も開かれるようになっており、商品補充時に、外扉２を開けてすぐに商品投入口７を介して商品を補充できる。このとき、下側の内扉４は外扉２の開動作に連動せずに商品収納庫５の下側を閉塞している。すなわち、商品補充時に商品収納庫５すべてが外気にさらされてしまうのを防いで、商品補充に必要な商品投入口７のみが開放されるようになっている。
【００２５】
図２に示すように、上側の内扉３の前面（外扉２の背面に向き合う面）における上述したヒンジｈ２が取り付けられた側縁部とは反対側の側縁部３ａには、係止部材１１がガイド部材１２と組み合わされて取り付けられている。
【００２６】
図３は係止部材１１の正面図を、図４は図３における右側面図を示す。係止部材１１は、略矩形状の背板部２１と、背板部２１の左側縁部の下部で略直角に曲げられて背板部２１の前方側に延びるフック形成部２２と、背板部２１の上端縁部から背板部２１の前方側に略直角に曲げられた係合解除用片部２４と、背板部２１の右側縁部から背板部２１の右方に突出して設けられた２つの突出部２３ａ、２３ｂとが一体に構成されてなる。また、背板部２１において、突出部２３ａと突出部２３ｂとの間の部分には長手方向に沿った長孔２５が形成されている。係止部材１１は金属材料からなる。
【００２７】
フック形成部２２の下部には、先端側から順に、第１傾斜部２６、第１フック部２８、第２傾斜部２７、第２フック部２９が形成されている。第１傾斜部２６は、フック形成部２２の前端縁部から背板部２１側に向かって下向き傾斜し、この第１傾斜部２６に続いて第１フック部２８が形成されている。第１フック部２８は、フック形成部２２の第１下縁部３０との間に直角を形成して接続している。
【００２８】
第１下縁部３０の後端に続いて第２傾斜部２７が設けられている。第２傾斜部２７は、第１下縁部３０の後端から背板部２１側に向かって下向き傾斜し、この第２傾斜部２７に続いて第２フック部２９が形成されている。第２フック部２９は、フック形成部２２の第２下縁部３１との間に直角を形成して接続している。
【００２９】
係合解除用片部２４の一端部（図３において右端部）は背板部２１の右側縁部よりはみ出している。
【００３０】
次に、図５はガイド部材１２の正面図を、図６は図５における左側面図を、図７は図５における右側面図を示す。ガイド部材１２は、矩形状の背板部３４と、背板部３４の左側縁部から背板部３４の前方側に略直角に曲げられた左側壁部３５と、背板部３４の右側縁部から背板部３４の前方側に略直角に曲げられた右側壁部３６と、背板部３４の上端縁部から背板部３４の後方側に略直角に曲げられた引掛片部３７とが一体に構成されてなる。背板部３４の中央付近には丸孔３８が形成されている。ガイド部材１２は金属材料からなる。
【００３１】
左側壁部３５の上部には背板部３４の前方側へと突出して延びる位置決め用突出部３９が形成されている。位置決め用突出部３９の前端縁部と下端縁部との境界部には、背板部３４側に向かって下向き傾斜した傾斜部４０が形成されている。また、左側壁部３５における背板部３４との境界付近には矩形状のスリット４１が形成されている。スリット４１は、左側壁部３５の長手方向の下半分ほどの部分に長手方向に沿って形成されている。
【００３２】
右側壁部３６における背板部３４との境界付近には２つの矩形状のスリット４４２ａ、４２ｂが形成されている。スリット４２ａは、右側壁部３６の長手方向の上から３分の１ほどの部分に長手方向に沿って形成されている。スリット４２ｂは、右側壁部３６の長手方向の下から３分の１ほどの部分に長手方向に沿って形成されている。
【００３３】
係止部材１１とガイド部材１２とは図２に示すようにして互いに組み合わされる。先ず、ガイド部材１２の引掛片部３７（図６、７参照）を、内扉３の前面（外扉２の背面に向き合う面）における上述したヒンジｈ２が取り付けられた側縁部とは反対側の側縁部３ａに形成されたスリット（図示せず）に差し込む。これにより、ガイド部材１２はぶら下げられるようにして内扉３の側縁部３ａに位置決めされる。ガイド部材１２の位置決め用突出部３９は外扉２の背面側に向かって突出し、それよりも下方に左側壁部３５に形成されたスリット４１が位置している。
【００３４】
以上のようにガイド部材１２が位置決めされた状態で、係止部材１１のフック形成部２２が、ガイド部材１２の左側壁部３５の内面側からスリット４１に挿入されて左側壁部３５の外面側で位置決め用突出部３９と同じ方向に突出される。また、係止部材１１の右側縁部に設けられた突出部２３ａ、２３ｂは、それぞれ、ガイド部材１２の右側壁部３６に形成されたスリット４２ａ、４２ｂに挿入され、各突出部２３ａ、２３ｂの先端側が右側壁部３６の外面側に突出する。係止部材１１の背板部２１の背面は、ガイド部材１１の背板部３４の前面に重ね合わされる。
【００３５】
この状態で、係止部材１１の背板部２１に形成された長孔２５から露出しているガイド部材１２の背板部３４の丸孔３８（図５参照）を通して、ねじ１３が内扉３の側縁部３ａに螺着される。ねじ１３は段付きねじであり、内扉側縁部３ａに螺着される軸部と、頭部１３ａとの間には、軸部より大径で頭部１３ａより小径な円柱状の中間部が形成されている。中間部は長孔２５内に入り込んでおり、その裏面を丸孔３８の周縁部に当接させている。
【００３６】
ガイド部材１２は、その引掛片部３７が内扉側縁部３ａのスリットに差し込まれており、さらに背板部３４の丸孔３８をねじ１３の軸部が貫通して内扉側縁部３ａに螺着されているため、内扉側縁部３ａに対して動かないようになっている。
【００３７】
このガイド部材１２に対して、係止部材１１は内扉３の上下方向（高さ方向）に摺動自在となっている。上下方向に沿った長孔２５と、この長孔２５内に入り込んでいるねじ１３の中間部との当接によって上記摺動のガイドがなされる。
【００３８】
係止部材１１はその長孔２５の内壁面の上縁部が、ねじ１３の中間部に引っかかることで落下が阻止される。フック形成部２２においてスリット４１に入っている部分の高さ方向の長さ（上下方向の長さ）は、スリット４１の長さより小さい。そして、そのスリット４１の上端縁部にフック形成部２２の上縁部が当接することで係止部材１１の上方向への移動が規制される。
【００３９】
外扉２の背面において、上記内扉側縁部３ａに向き合わされる側縁部２ａには、図８に示すように、２つの矩形状の開口部４６、４７が形成された金属部材４５が取り付けられている。開口部４６は、位置決め用突出部３９が挿入可能な位置に形成され、この開口部４６の下方に位置する開口部４７は、フック形成部２２が挿入可能な位置に形成されている。
【００４０】
以上のように構成される本実施形態に係る自動販売機において、次にその外扉２と内扉３との係止作用について説明する。
【００４１】
外扉２と内扉３とが第２のヒンジｈ２を中心に開いており互いに係止されていない状態（図８）から両者が相接近すると、図９に示すように、係止部材１１のフック形成部２２の先端が開口部４７内に入り込むと共に、そのフック形成部２２に形成された第１傾斜部２６が開口部４７の下縁部に当接する。
【００４２】
開口部４７の下縁部に第１傾斜部２６が当接した状態で外扉２と内扉３とがさらに接近していくと、第１傾斜部２６が開口部４７の下縁部から受ける上向きの力により係止部材１１が上方に移動しつつ、開口部４７の下縁部に対する第１傾斜部２６の当接位置が第１フック部２８の方にずれていく。これにより、フック形成部２２の開口部４７内への挿入深さが深くなっていき、外扉２と内扉３とがますます接近していく。
【００４３】
なおこのとき、外扉２の本体１に対する組み付けガタ、あるいは内扉３の外扉２に対する組み付けガタ等に起因する外扉２と内扉３との上下方向の位置のずれが生じた場合には、開口部４７の下縁部に第１傾斜部２６が当接しないことも起こり得る。フック形成部２２の先端側において第１傾斜部２６よりも上の部分が開口部４７の下縁部に当たってしまうと係止部材１１を上方へと移動させる力が作用せずに、フック形成部２２が外扉２と内扉３との間でつっかえてしまい外扉２と内扉３との閉動作を妨げてしまう。
【００４４】
しかし、本実施形態では、外扉２と内扉３との間に上述したような上下方向の位置ずれが生じていたとしても、フック形成部２２の先端と開口部４７の下縁部との当接に先だって、位置決め用開口部４６の下縁部に位置決め用突出部３９の傾斜部４０が当接することで、内扉３に対する外扉２の相対位置を下方に下げることができ、これにより開口部４７の下縁部が第１傾斜部２６に確実に当接する位置に位置決めされる。また、位置決め用突出部３９の下縁部が位置決め用開口部４６の下縁部に当接することで、外扉２に対する内扉３の相対的な下方向のずれが規制される。
【００４５】
さらなる外扉２と内扉３との接近により開口部４７の下縁部に対する第１傾斜部２６の当接が外れると、係止部材１１は自重により下方に落下し、図１０、１１に示すように、第１フック部２８が開口部４７内に入り込み開口部４７の下縁部に係合する。この状態で外扉２を内扉３から離す方向に開こうとしても第１フック部２８が開口部４７の下縁部近傍部分に引っかかって外扉２と内扉３とはそれ以上開かない。
【００４６】
この状態は、外扉２の背面と内扉３の前面とが平行に向き合わされて互いに係止された完全ロック状態に至る手前の状態である。すなわち、外扉２と内扉３とが完全なロック状態となる前の段階の両者が少し開いた状態で両者は連結される。
【００４７】
したがって、外扉２を本体１に対して閉めた際に、外扉２に対して内扉３が完全にロックされなくても両者がある程度近づけば第１フック部２８が開口部４７の下縁部近傍部分に引っかかって両者が連結されるので、両者のロックが不完全な状態で外扉２を開いても、図１３（Ａ）〜図１３（Ｂ）に示すように、内扉３におけるヒンジｈ２の反対側の側端部３ｂが本体１の前面開口の内側壁部１ａにぶつかることなく（内扉３が本体１の前面開口に置き去りにされることなく）外扉２に引っ張られるようにして外扉２と一緒に開くことができる。この結果、内扉３及びヒンジｈ２に過剰な力が作用せず、それらの破損を防げる。
【００４８】
そして、本実施形態では、係止部材１１は、特許文献１の横方向の揺動とは異なり、上下方向（高さ方向）に移動して開口部４７に対する係合位置とその係合の解除位置とをとるようになっているため、係止部材１１は内扉側端部３ｂから本体前面開口の内側壁部１ａ側にはみ出して設けられていない。さらに、第１フック部２８が開口部４７と係合した状態は、係止部材１１が自重で下方に下がることにより保持されるので、内扉側端部３ｂと本体前面開口の内側壁部１ａとの間に特許文献１のようなバネ部材を設ける必要もない。したがって、内扉側端部３ｂと本体前面開口の内側壁部１ａとの間のスペースが狭まることがなく、外扉２が内扉３を引っ張る前に内扉側端部３ｂが本体前面開口の内側壁部１ａに干渉してしまうことがない。
【００４９】
また、本実施形態では、第１フック部２８または第２フック部２９と開口部４７との係合位置は係止部材１１に作用する重力を利用して保持される。したがって、図１５に示す特許文献１のようにフック部６４ａと開口部６６ａ、６６ｂとの係合を保持するためのバネ６８は不要であり、その分部品点数を少なくしてコスト低減を図れる。
【００５０】
上述した第１フック部２８による外扉２と内扉３との連結状態からさらに外扉２を内扉３に対して閉じて両者を接近させていくと、第１フック２８の後方側にある第２傾斜部２７が開口部４７の下縁部に当接する。この状態で、外扉２と内扉３とがさらに接近していくと、第２傾斜部２７が開口部４７の下縁部から受ける上向きの力により係止部材１１が上方に移動しつつ、開口部４７の下縁部に対する第２傾斜部２７の当接位置が第２フック部２９の方にずれていく。
【００５１】
さらなる外扉２と内扉３との接近により開口部４７の下縁部に対する第２傾斜部２７の当接が外れると、係止部材１１は自重により下方に落下し、図１２に示すように、第２フック部２９が開口部４７内に入り込み開口部４７の下縁部に係合して、外扉２の背面と内扉３の前面とが平行に向き合わされて両者が完全にロックされる。この第２フック部２９が開口部４７に係合して外扉２が本体１に対して閉じられた状態では、断熱性の内扉３は商品収納庫５上部の商品投入口７を閉塞して商品投入口７からの冷気あるいは暖気の流出を阻止する。もちろん、この状態で外扉２を開いても、内扉側端部３ｂが本体前面開口の内側壁部１ａにぶつかることなく、内扉３は外扉２と一体となって開かれる。
【００５２】
なお、係止部材１１の上端縁部に形成された係合解除用片部２４を手で持って係止部材１１を上方に引き上げれば、第２フック部２９の開口部４７からの係合が外れ外扉２に対して内扉３を開くことができる。もちろん、係合解除用片部２４の引き上げによって第１フック部２８の開口部４７からの係合も外すことができる。
【００５３】
また、上記実施形態とは逆に、外扉２側に係止部材１１を、内扉３側に開口部４７を設けてもよい。もちろん、位置決め用突出部３９を外扉２側に、位置決め用開口部４６を内扉３側に設けてもよい。
【００５４】
また、内扉３は断熱扉である必要はなく、外扉２内部に設けられた商品展示室を単に開閉するための断熱性を有しない内扉（ディスプレイ扉）であってもよい。さらには、その内扉（ディスプレイ扉）を、外扉２と断熱性の内扉３との間にこれら両方に対して回動自在に設けてもよく、その場合の内扉（ディスプレイ扉）に対しても本発明を適用することができる。
【図面の簡単な説明】
【００５５】
【図１】本発明の実施形態に係る自動販売機において、外扉及び内扉が本体に対して開かれた状態の斜視図である。
【図２】本実施形態の内扉に取り付けられる係止部材及びガイド部材の拡大斜視図である。
【図３】図２に示す係止部材の正面図である。
【図４】図３に示す係止部材の右側面図である。
【図５】図２に示すガイド部材の正面図である。
【図６】図５に示すガイド部材の左側面図である。
【図７】図５に示すガイド部材の右側面図である。
【図８】外扉と内扉それぞれのヒンジとは反対側の側縁部要部を示す斜視図である。
【図９】外扉の背面側に設けられた開口部の下縁部に、係止部材の第１傾斜部が当接している状態の斜視図である。
【図１０】係止部材の第１フック部が開口部の下縁部に係合している状態の斜視図である。
【図１１】図１０に示す状態の側面図である。
【図１２】係止部材の第２フック部が開口部の下縁部に係合している状態の側面図である。
【図１３】係止部材の第１フック部に開口部の下縁部が係合している状態で外扉が本体に対して内扉と共に開かれる作用を説明するための模式図である。
【図１４】従来例の自動販売機において、内扉が外扉と係合していない状態で外扉が本体に対して開かれた場合に、内扉の側端部が本体の前面開口内面に干渉する作用を説明するための模式図である。
【図１５】他従来例の自動販売機における外扉と内扉との係止構造を示す横断面図である。
【符号の説明】
【００５６】
１…本体、２…外扉、３…内扉、５…商品収納庫、１１…係止部材、１２…ガイド部材、２６…第１傾斜部、２７…第２傾斜部、２８…第１フック部、２９…第２フック部、３９…位置決め用突出部、４６…位置決め用開口部、４７…開口部。
【図１】
2006172345.tif 000003
【図２】
2006172345.tif 000004
【図３】
2006172345.tif 000005
【図４】
2006172345.tif 000006
【図５】
2006172345.tif 000007
【図６】
2006172345.tif 000008
【図７】
2006172345.tif 000009
【図８】
2006172345.tif 000010
【図９】
2006172345.tif 000011
【図１０】
2006172345.tif 000012
【図１１】
2006172345.tif 000013
【図１２】
2006172345.tif 000014
【図１３】
2006172345.tif 000015
【図１４】
2006172345.tif 000016
【図１５】
2006172345.tif 000017